(57)【要約】      （修正有）【課題】頭部、特に顔面の皺・たるみ・垂れ下がりを解消する。使い勝手の悪さを解消する美容具を提供する。【解決手段】筒状の伸縮性布地を頭部全体に被り、それを引き上げることにより全体の皮膚組織および筋肉組織を同時に引き上げる。布地の顔面に当たる部分を開放状態にすることにより、飲食等を可能とし使い勝手の悪さを解消し、日常生活への影響を最小限にとどめる。【選択図】図３
0003103255.tif 000002
【実用新案登録請求の範囲】
【請求項１】
筒状の伸縮性のある布地を首まで被り、その布地の頭頂の部分を引き上げ固定することにより皮膚組織も筋肉組織も全体が引き上げられ、引力に逆らった状態を保つことが出来、顔面の皺やたるみの解消を補整するための美容具である。
【請求項２】
顔面の目、鼻、口に当たる部分を開放状態にし、飲食等を可能にすることにより使い勝手を良くした。
【考案の詳細な説明】
【技術分野】
【０００１】
本考案は、伸縮性の布地がものにフィットする性質と、一部を引っ張れば全体を圧迫しつつその方向に引っ張ることができる性質を利用し、筒状のそれを首から上部に被り引き上げることにより、首から上部全体の皮膚組織と筋肉組織を引き上げ、垂れ下がりを補整し皺を取り除き、またそれらの発生を予防するものである。
【背景技術】
【０００２】
人間は加齢に伴い、皮膚も筋肉組織も若いころの張りや弾力を失ない、引力に逆らえず年を重ねるごとに下方へと移動し、顔面においても皺・たるみ・垂れ下がりの原因になっている。このことに着目し、これまでも顔面の皺取りや小顔を作ることを目的とした美容具として顔面皮膚のばし用バンド、薄ゴムを顔面にフィットし使用するもの、伸縮性布地を使用した顔面ブラジャー等のものが考案されているが、いずれの方式もその対象が部分的であったり使い勝手の悪さから、広く普及するには至っていない。
【考案の開示】
【考案が解決しようとする課題】
【０００３】
これまでのように部分的でなく、全体の皺を伸ばし、たるみや垂れ下がりを解消することと、使い勝手を良くすることが課題である。
【課題を解決するための手段】
【０００４】
首から上部全体にその目的とする効果をもたらすために、筒状の伸縮性のある布地を首まで被り、その布地の頭頂の部分を引き上げることにより皮膚組織も筋肉組織も全体が引き上げられ、引力に逆らった状態を作り、固定する。
【０００５】
使い勝手の悪さを解消するためと、効果を増強するために顔面の目・鼻・口に当たる部分を開放状態とする。
【考案の効果】
【０００６】
本考案は伸縮性布地がものにフィットする性質と、一部を引っ張れば全体を圧迫しつつその方向に引っ張ることができる性質に着目したものであり、これを使用することにより顔面全体の皮膚組織と筋肉組織とを引力に逆らった状態で保つことができる。このことを繰り返し行うことにより、皺伸ばし、垂れ下がり解消につながる。
【０００７】
布地の伸縮性による圧迫効果で、顔面全体の引き締め効果につながる。    
【０００８】
この際顔面に当たる部分を開放状態とすることにより、その効果が増すとともに、目、鼻、口が自由に使えるため、使用中に日常生活に与える影響は無いに等しいことも大きな効果である。
【０００９】
使用方法は、頭から被り布を引き上げ固定するだけと至って簡単であり、さらに使用していない状態では非常にコンパクトであるため、携帯にも支障をきたさない。即ちどこででも使えるという簡便性も兼ね備えている。
【考案を実施するための最良の形態】
【００１０】
構造を複雑なものとすることなく、もっともシンプルにして軽量で扱いやすいものとした。
（使用例１）
【００１１】
図３は本考案の使用例であり、顔面の皮膚組織と筋肉組織が全体的に引き上げられた状態であり、目、鼻、口が開放された状態である。
【産業上の利用可能性】
【００１２】
老化による皴や皮膚組織の垂れ下がり、筋肉組織の垂れ下がりに悩み、これを解消したいと望む消費者も多い。このことに着目し、化粧品メーカー各社も研究開発を重ね対応商品が多数発売されている。したがって同様の効果を目的とするこれらの化粧品と併用することにより、相乗的な補整効果が期待できる。
【図面の簡単な説明】
【００１３】
【図１】筒状の伸縮性布地を、左側面から見た図である。
【図２】筒状の伸縮性布地を、被った図である。
【図３】筒状の伸縮性布地を装着後、頭頂の部分を引き上げ、頭部全体の皮膚組織皮膚組織と筋肉組織が引き上げられ固定された状態である。
【符号の説明】
【００１４】
１  伸縮性布地の全体図
２  固定用部品
３  顔面部分の開放部
４  頭部挿入口
５  顎の先端にあてがう部分
【図１】
0003103255.tif 000003
【図２】
0003103255.tif 000004
【図３】
0003103255.tif 000005
【手続補正書】
【提出日】平成16年3月15日(2004.3.15)
【手続補正１】
【補正対象書類名】実用新案登録請求の範囲
【補正対象項目名】全文
【補正方法】変更
【補正の内容】
【実用新案登録請求の範囲】
【請求項１】
筒状の伸縮性のある布地を首まで被り、その布地の頭頂の部分を引き上げ固定することにより皮膚組織も筋肉組織も全体が引き上げられ、引力に逆らった状態を保つことができ、顔面の皺やたるみの解消を補整するための美容具であり、装着した状態で目・鼻・口に当たる部分を開放状態とするためにその一部を切除し、装着した美容具を引き上げた状態での脱落防止のためと、目的とする効果を確実なものにするために、頭部挿入口の顎の尖端に当たる部分を縫合加工したものである。
【手続補正２】
【補正対象書類名】明細書
【補正対象項目名】００１１
【補正方法】変更
【補正の内容】
【００１１】
図５は本考案の使用例であり、顔面の皮膚組織と筋肉組織が全体的に引き上げられた状態であり、目、鼻，口が開放された状態である。
【手続補正３】
【補正対象書類名】明細書
【補正対象項目名】００１３
【補正方法】変更
【補正の内容】
【００１３】
【図１】加工を施す前の、筒状の伸縮性布地である。
【図２】顎の尖端に当たる部分を縫合加工し、目・鼻・口に部分を切除し、頭頂部に固定用部品を取り付けた状態である。
【図３】美容具を装着した状態である。この状態では頭部の皮膚組織・筋肉組織ともに引力に逆らえず、矢印の方向に力が加わったままである。
【図４】装着した美用具の先端を矢印の方向に引き上げた図である。この状態では布地の伸縮性により顎の下側部分から耳の下側を含め顔全体が圧迫され、皮膚組織・筋肉組織も矢印の方向に引き上げられている。
【図５】図４の状態で固定用部品を頭部側に移動させ固定した状態である。固定用部品を緩めるまでの間、図４の状態を任意の時間継続することができる。
【手続補正４】
【補正対象書類名】明細書
【補正対象項目名】００１４
【補正方法】変更
【補正の内容】
【００１４】
１完成した美容具の全体図
２固定用部品
３目・鼻・口部分の開放部
４頭部挿入口
５顎の尖端にあてがう部分。尖端を包み込むように一部を縫合加工してある。
【手続補正５】
【補正対象書類名】図面
【補正対象項目名】全図
【補正方法】変更
【補正の内容】
【図１】
0003103255.tif 000006
【図２】
0003103255.tif 000007
【図３】
0003103255.tif 000008
【図４】
0003103255.tif 000009
【図５】
0003103255.tif 000010